(57)【要約】      （修正有）【課題】ユーザー自身でオリジナルなグッズが作れ、ヌメ皮の特徴を利用する皮製品を提供する。【解決手段】ヌメ皮１を、絵物語で登場するキャラクターを描いて作られたプレス抜型２でプレス３して抜いて、この抜かれたヌメ皮４に仕上線５を描き、さらに色付け６をする、つぎにこの抜かれたヌメ皮４に水分７を含ませて、半乾きの状態の時に、これを曲げ、折り、捻じりの仕上手指加工９を行い、そのまま乾燥させて、さらに一部を鋲止め１０またはボンド貼止め１２して、皮立体キャラクター１３にする、最後に、シオリ紐やストラップ紐または金属鎖８を装着して、シオリ、ストラップまたはキーホルダーになる。【選択図】図１
0003214523.tif 000002
【実用新案登録請求の範囲】
【請求項１】
ヌメ皮（９）を、絵物語で綴られて登場するキャラクターの概観を描いて作られたプレス抜型（２）で、プレス（１３）して抜いて、キャラクター概観体（３）を形成して設け、またこのキャラクター概観体（３）をエンボス型（２０）で、プレス（１３）して、表面に凹凸のあるキャラクターエンボス体（１９）を形成して設ける、さらにこのキャラクターエンボス体（１９）に仕上線（１４）を描き、さらに色付け（１５）をして設ける、またヌメ皮（９）のキャラクター概観体（２）に仕上線（１４）を描き、さらに色付け（１５）をしてキャラクター平面体（４）として形成して設ける、つぎにこのヌメ皮（９）のキャラクター平面体（４）に水分（１６）を含ませて、半乾きの状態の時に、キャラクター平面体（４）を曲げ、折り、捻じり等の仕上手指加工（１７）を行い、乾燥させると、その形のまんま固まる、最後に一部を鋲止め（１）か、ボンド貼止め（１８）して、立体キャラクター（５）として形成し設ける、そして、最後にキャラクターエンボス体（１９）、または立体キャラクター（５）に、シオリ紐（６）やストラップ紐（７）または金属鎖等（８）を装着して、シオリ（１０）やストラップ（１１）およびキーホルダー（１２）として形成する、このような特徴より成る、おもしろグッズ。
【考案の詳細な説明】
【技術分野】
【０００１】本考案は、自分の好みの色付けや、形を作る事ができるグッズに関するものである。
【背景技術】
【０００２】従来、グッズ等は出来上がったものを、そのまま観賞して楽しむだけであった。
【考案が解決しようとする課題】
【０００３】現在、グッズを購入するユーザー自身が、自分で製作出来るものを求めている。
つまり、グッズの仕上線（１４）を描いて、色付け（１５）を変化させて、それぞれのキーホルダー（１２）やストラップ（１１）等を自分で製作する、自分の、オリジナルグッズにする事が出来る。
しかし、今のグッズには、そこまで考えたものは皆無であった。
【課題を解決するための手段】
【０００４】本考案は出来る限りの簡単構成で形成されている。以下解決手段を説明する。
まず、描かれたキャラクターの概観を、金型に刻みこんで、プレス抜型（２）を作成する。図１のごとく、このプレス抜型（２）をプレス機に取付けて、ヌメ皮（９）をセットし、プレス（１３）を行い、ヌメ皮（９）を抜いて、キャラクター概観体（３）として設ける。この抜き加工する材料は、ヌメ皮（９）だけでなく、板紙や樹脂板にしても良い。さらにこのキャラクター概観体（３）を、エンボス型（２０）でプレス（１３）して、図２のごとく表面に凸凹のある半立体形状のキャラクターエンボス体（１９）を形成して設ける。さらにこのキャラクターエンボス体（１９）を細かく仕上るために、ペン等で仕上線（１４）を描き、さらに色付け（１５）を、マーカー等で付けて設けキャラクターエンボス体（１９）として完成させて設ける。つまり図２のごとく自分の線描きと色付けのオリジナルキャラクターとして完成されている。革工房としてはキャラクター概観体（３）または、キャラクターエンボス体（１９）を、キャラクター説明書や製造手引書そして展示説明案内と共に、ユーザーに販売提供して、自分のオリジナルの製品として作成してもらう、これが目的である。つぎに図１のごとく立体キャラクター（５）を作る場合は、図１のごとくキャラクター概観体（２）に、仕上線（１４）を描いて、色付け（１５）したヌメ皮（９）のキャラクター平面体（４）に水分（１６）を含ませて、半乾きの状態の時に、これを曲げたり、折ったり、捻ったり等の仕上手指加工（１７）を施して、そのまま乾燥すると、仕上げた形で固まり、最後に一部分を鋲止め（１）あるいはボンド貼止め（１８）して、立体キャラクター（５）として形成する。最後にキャラクターエンボス体（１９）および立体キャラクター（５）にシオリ紐（６）やストラップ紐（７）または金属鎖等（８）を装着して、シオリ（１０）やストラップ（１１）やキーホルダー（１２）として完成形成する。
本考案は以上のような特徴よりなる、おもしろグッズである。
【考案の効果】
【０００５】本考案は、キャラクター概観体（３）の状態で販売され、ユーザーの手に渡り、説明書の手引きにより、ユーザー自身でキャラクター概観体（３）に、線で描いてさらに色付けして、キャラクターエンボス体（１９）として完成させキーホルダーになったり。またヌメ皮のキャラクター平面体（４）から、立体のキャラクターを自分で手を加えて製作する事が出来実に楽しい、自分流のオリジナルグッズが完成する。
【考案を実施するための最良の形態】
【０００６】  まず、革工房の著作者が描いたキャラクターの概観を、プレス金型に刻みこんで、プレス抜型（２）を形成して設ける。つぎに図１、図２のごとく、このプレス抜型（２）をプレス機に装着して、材料のヌメ皮（９）もセットして、プレス（１３）を行い、ヌメ皮を一気に抜取り、キャラクター概観体（３）として設ける。この抜き加工する材料は、ヌメ皮（９）だけでなく、板紙や樹脂板でも良い。つぎにこのキャラタター概観体（３）をエンボス型（２０）でプレス（１３）して、表面を凸凹の半立体にした、キャラクターエンボス体（１９）を形成する。これに仕上線（１４）を描き、細かいキャラクターの絵を仕上げる。そしてこの後、マーカー等で色付け（１５）をして図２のごとく、キャラクターエンボス体（４）として形成、完成させて設ける。実際に革工房としては、プレス抜型（２）で抜いたままのキャラクター概観体（３）で、手引書や説明書と共にユーザーに販売提供しており、自分独自のオリジナルグッズ品として、楽しんで観賞してもらう事が目的である。つぎに図１のごとく、立体キャラクター（５）を作る場合は、キャラクター平面体（４）の表面に、水分（１６）や湯およびアルコールのようなものでスプレー加工を行い、半乾きの状態になったところで、このキャラクター平面体のヌメ皮（２）を、仕上手指加工（１７）で、曲げたり、折ったり、捻ったりして仕上げて、そのまま自然乾燥すると、固まり最後に一部分を鋲止め（１）またはボンド貼止め（１８）して、立体キャラクター（５）として形成する。最後に形成した、キャラクターエンボス体（１９）および立体キャラクター（５）に、シオリ紐（６）やストラップ紐（７）または金属鎖等（８）を装着して、シオリや携帯ストラップおよびキーホルダーとして形成して設ける。
本考案は以上のような構成であり、これを使用実施するときには、【０００７】  このまま、自分好みで作られたオリジナルグッズとして、楽しみ観賞できる。
【図面の簡単な説明】
【０００８】
【図１】  本考案の立体キャラクターの加工説明図である。
【図２】  本考案のキャラクターエンボス体の加工説明図である。
【符号の説明】
【０００９】  １  鋲止め
２  プレス抜型
３  キャラクター概観体
４  キャラクター平面体
５  立体キャラクター
６  シオリ紐
７  ストラップ紐
８  金属鎖等
９  ヌメ皮
１０  シオリ
１１  ストラップ
１２  キーホルダー
１３  プレス
１４  仕上線
１５  色付け
１６  水分
１７  仕上手指加工
１８  ボンド貼止め
１９  キャラクターエンボス体
２０  エンボス型
【図１】
0003214523.tif 000003
【図２】
0003214523.tif 000004
【手続補正書】
【提出日】平成29年8月7日(2017.8.7)
【手続補正１】
【補正対象書類名】実用新案登録請求の範囲
【補正対象項目名】全文
【補正方法】変更
【補正の内容】
【実用新案登録請求の範囲】
【請求項１】
ヌメ皮（９）を、絵物語で綴られて登場するキャラクターの概観を描いて作られたプレス抜型（２）で、プレス（１３）して抜いて、キャラクター概観体（３）を形成する、次にキャラクター概観体（３）に仕上線（１４）を描き、さらに色付け（１５）をしてキャラクター平面体（４）として形成する、つぎにこのヌメ皮（９）のキャラクター平面体（４）に水分（１６）を含ませて、半乾きの状態の時に、キャラクター平面体（４）を曲げ、折り、捻じりの仕上手指加工（１７）を行い、乾燥させると、その形のまんま固まる、最後に一部を鋲止め（１）か、ボンド貼止め（１８）して、立体キャラクター（５）として形成する、そして最後にこの立体キャラクター（５）に、シオリ紐（６）やストラップ紐（７）または金属鎖（８）を装着して、シオリ（１０）、ストラップ（１１）またはキーホルダー（１２）として形成する、
このような特徴より成る、おもしろグッズ。
【手続補正２】
【補正対象書類名】明細書
【補正対象項目名】全文
【補正方法】変更
【補正の内容】
【考案の詳細な説明】
【技術分野】
【０００１】本考案は、自分の好みの色付けや、形を作る事ができるグッズに関する。
【背景技術】
【０００２】従来、グッズ等は出来上がったものを、そのまま観賞して楽しむだけであった。
【考案が解決しようとする課題】
【０００３】現在、グッズを購入するユーザー自身が、自分で製作出来るものを求めている。
つまり、グッズの仕上線（１４）を描いて、色付け（１５）を変化させて、それぞれのキーホルダー（１２）やストラップ（１１）を自分で製作して、自分の、オリジナルグッズを持ちたい。しかし、今のグッズには、そこまで考えたものは皆無である。
【課題を解決するための手段】
【０００４】  本考案は出来る限りの簡単構成で形成されている。以下解決手段を説明する。
まず、描かれたキャラクターの概観を、金型に刻みこんで、プレス抜型（２）を作成する。図１のごとく、このプレス抜型（２）をプレス機に取付けて、ヌメ皮（９）をセットし、プレス（１３）を行い、ヌメ皮（９）を抜いて、キャラクター概観体（３）として形成する。この抜き加工する材料は、ヌメ皮（９）だけでなく、板紙や樹脂板にしても良い。革工房としてはキャラクター概観体（３）を、キャラクター説明書や製造手引書そして展示説明案内と共に、ユーザーに販売提供して、自分のオリジナルの製品として作成してもらう、これが目的である。つぎに図１のごとく立体キャラクター（５）を作る場合は、図１のごとくキャラクター概観体（２）に、仕上線（１４）を描いて、色付け（１５）したヌメ皮（９）のキャラクター平面体（４）に水分（１６）を含ませて、半乾きの状態の時に、これを曲げたり、折ったり、捻ったりの仕上手指加工（１７）を施して、そのまま乾燥すると、仕上げた形で固まり、最後に一部分を鋲止め（１）あるいはボンド貼止め（１８）して、立体キャラクター（５）として形成する。次に立体キャラクター（５）にシオリ紐（６）やストラップ紐（７）または金属鎖（８）を装着して、シオリ（１０）やストラップ（１１）やキーホルダー（１２）として完成形成する。
本考案は以上のような特徴よりなる、おもしろグッズである。
【考案の効果】
【０００５】  本考案は、キャラクター概観体（３）の状態で販売され、ユーザーの手に渡り、説明書  の手引きにより、ユーザー自身でキャラクター概観体（３）に、線で描いてさらに色付  けして、立体のキャラクターを自分で手を加えて製作する事が出来、実に楽しい、自分  流のオリジナルグッズが完成する。
【考案を実施するための最良の形態】
【０００６】  まず、革工房の著作者が描いたキャラクターの概観を、プレス金型に刻みこんで、プレス抜型（２）を形成する。つぎに図１のごとく、このプレス抜型（２）をプレス機に装着して、材料のヌメ皮（９）もセットして、プレス（１３）を行い、ヌメ皮を一気に抜取り、キャラクター概観体（３）として形成する。この抜き加工する材料は、ヌメ皮（９）だけでなく、板紙や樹脂板の場合もある。つぎにこのキャラクター概観体（３）に仕上線（１４）を描き、この後、マーカー等で色付け（１５）をして、キャラクター平面体（４）として形成する。実際に革工房としては、プレス抜型（２）で抜いたままのキャラクター概観体（３）で、手引書や説明書と共にユーザーに販売提供しており、自分独自のオリジナルグッズ品として、楽しんで観賞してもらう事が目的である。つぎに図１のごとく、立体キャラクター（５）を作る場合は、キャラクター平面体（４）の表面に、水分（１６）や湯およびアルコールのようなものでスプレー加工を行い、半乾きの状態になったところで、このキャラクター平面体のヌメ皮（２）を、仕上手指加工（１７）で、曲げたり、折ったり、捻ったりして仕上げて、そのまま自然乾燥すると、形が固まり最後に一部分を鋲止め（１）またはボンド貼止め（１８）して、立体キャラクター（５）として形成する。最後に形成した立体キャラクター（５）に、シオリ紐（６）、ストラップ紐（７）または金属鎖（８）を装着して、シオリ、携帯ストラップまたはキーホルダーとして形成して設ける。
本考案は以上のような構成であり、これを使用実施するときには、【０００７】  このまま、自分好みで作られたオリジナルグッズとして、楽しみ観賞できる。
【図面の簡単な説明】
【０００８】
【図１】  本考案の立体キャラクターの加工説明図である。
【符号の説明】
【０００９】  １  鋲止め
２  プレス抜型
３  キャラクター概観体
４  キャラクター平面体
５  立体キャラクター
６  シオリ紐
７  ストラップ紐
８  金属鎖
９  ヌメ皮
１０  シオリ
１１  ストラップ
１２  キーホルダー
１３  プレス
１４  仕上線
１５  色付け
１６  水分
１７  仕上手指加工
１８  ボンド貼止め
【手続補正３】
【補正対象書類名】図面
【補正対象項目名】図２
【補正方法】削除
【補正の内容】
【手続補正書】
【提出日】平成29年10月31日(2017.10.31)
【手続補正１】
【補正対象書類名】実用新案登録請求の範囲
【補正対象項目名】全文
【補正方法】変更
【補正の内容】
【実用新案登録請求の範囲】
【請求項１】
ヌメ皮（１）を、絵物語で登場するキャラクターを描いて作られたプレス抜型（２）でプレス（３）して抜いて、この抜かれたヌメ皮（４）に仕上線（５）を描き、さらに色付け（６）をする、つぎにこの抜かれたヌメ皮（４）に水分（７）を含ませて、半乾きの状態の時に、これを曲げ、折り、捻じりの仕上手指加工（９）を行い、そのまま乾燥させて、さらに一部を鋲止め（１０）またはボンド貼止め（１２）して、皮立体キャラクター（１３）にする、最後に、シオリ紐やストラップ紐または金属鎖（８）を装着して、シオリ、ストラップまたはキーホルダー（１１）になる、このような特徴より成る、皮製品。
【手続補正３】
【補正対象書類名】明細書
【補正対象項目名】全文
【補正方法】変更
【補正の内容】
【考案の詳細な説明】
【技術分野】
【０００１】本考案は、自分の好みの色付けや、形を作る事ができる皮製品のグッズに関する。
【背景技術】
【０００２】従来、グッズ等は出来上がったものを、そのまま観賞して楽しむだけであった。
【考案が解決ようとする課題】
【０００３】現在、皮製品のグッズを購入するユーザー自身が、自分で製作出来るものを求めている。
つまり、仕上線（５）を描いて、色付け（６）を変化させて、オリジナルのキーホルダー（１１）やストラップを自分で製作して、自分の、皮製品のオリジナルグッズを持ちたい。しかし、今のグッズには、そこまで考えたものは皆無である。
【課題を解決するための手段】
【０００４】  本考案は出来る限りの簡単構成で形成されている。以下解決手段を説明する。
まず、描かれたキャラクターの概観を、金型に刻みこんで、プレス抜型（２）を作成する。図１のごとく、このプレス抜型（２）をプレス機に取付けて、ヌメ皮（１）をセットし、プレス（３）を行い、ヌメ皮（１）を抜く、この抜き加工する材料は、ヌメ皮（１）だけでなく、板紙や樹脂板にしても良い。革工房としては、この抜かれたヌメ皮（４）を、キャラクター説明書や製造手引書そして展示説明案内と共に、ユーザーに販売提供して、自分のオリジナル品として作成してもらう、これが目的である。
つぎに図１のごとく抜かれたヌメ皮（４）に、仕上線（５）を描いて、色付け（６）した後に、これに水分（７）を含ませて、半乾きの状態の時に、これを曲げたり、折ったり、捻ったりの仕上手指加工（９）を施して、そのまま乾燥する、最後にこの一部分を鋲止め（１０）またはボンド貼止め（１２）して、皮立体キャラクター（１３）を形成する。これにシオリ紐やストラップ紐または金属鎖（８）を装着して、シオリやストラップまたはキーホルダー（１１）にする。
本考案は以上のような特徴よりなる、皮製品である。
【考案の効果】
【０００５】本考案は、抜かれたヌメ皮（４）の状態で販売され、ユーザーの手に渡り説明書の手引きにより、抜かれたヌメ皮（４）を線で描いて、さらに色付け（６）して自分で手を加えて製作する事が出来、実に楽しい、自分流のオリジナルグッズが完成する。
【考案を実施するための最良の形態】
【０００６】  まず、革工房の著作者が描いたキャラクターの概観を、プレス金型に刻み込んで、プレス抜型（２）を用意する。つぎに図１のごとく、このプレス抜型（２）をプレス機に装着して、材料のヌメ皮（１）もセットして、プレス（３）を行い、ヌメ皮（１）を一気に抜取る、この抜き加工する材料は、ヌメ皮（１）だけでなく、板紙や樹脂板の場合もある。
つぎにこの抜かれたヌメ皮（４）に仕上線（５）を描き、この後、マーカー等で色付け（６）をして、これは実際に革工房としては、プレス抜型（２）で、抜かれたヌメ皮（４）は手引書や説明書と共にユーザーに販売提供しており、自分独自のオリジナルグッズ品として、楽しんで観賞してもらう事が目的である。つぎに図１のごとく、抜かれたヌメ皮（４）の表面に、水分（７）や湯またはアルコールのようなものでスプレー加工を行い、半乾きの状態になったところで、この抜かれたヌメ皮（４）を、仕上手指加工（９）で、曲げたり、折ったり、捻ったりして仕上げて、そのまま自然乾燥させて、これに一部分を鋲止め（１０）またはボンド貼止め（１２）して、皮立体キャラクター（１３）を形成する。
これに、シオリ紐、ストラップ紐または金属鎖（８）を装着して、シオリまたは携帯ストラップあるいはキーホルダー（１１）として形成する。
本考案は以上のような構成であり、これを使用実施するときには、【０００７】  このまま、自分好みで作られたオリジナルグッズとして、楽しみ観賞できる。
【図面の簡単な説明】
【０００８】
【図１】本考案の立体キャラクター付キーホルダーの加工説明図である。
【符号の説明】
【０００９】  １  ヌメ皮
２  プレス抜型
３  プレス
４  抜かれたヌメ皮
５  仕上線
６  色付け
７  水分
８  金属鎖
９  仕上手指加工
１０  鋲止め
１１  キーホルダー
１２  ボンド貼止め
１３  皮立体キャラクター
【手続補正４】
【補正対象書類名】図面
【補正対象項目名】図１
【補正方法】変更
【補正の内容】
【図１】
0003214523.tif 000005